(57)【特許請求の範囲】
【請求項１】
正極電極および負極電極をセパレータを介して巻回した電池要素を電池缶内に収納した密閉型電池の製造方法において、電池要素の最外周部には、電池缶の極性と同一の極性の電極の集電体を露出させ、前記電池缶に電池要素を収納した後、前記集電体と電池缶の内面との間に導電性組成物を注入して硬化することにより両者を接合して電気的接続を形成したことを特徴とする密閉型電池の製造方法。
【請求項２】
導電性組成物が壁面の中央部から、電池缶の底部に達しない量を注入した後に硬化して接合したものであることを特徴とする請求項１記載の密閉型電池の製造方法。
【請求項３】
導電性組成物が加熱によって硬化する導電性エポキシ接着剤であることを特徴とする請求項１または２記載の密閉型電池の製造方法。
【請求項４】
リチウムイオン電池であることを特徴とする請求項１から３のいずれか１項記載の密閉型電池の製造方法。
【発明の詳細な説明】
【０００１】
【発明の属する技術分野】
本発明は、正極電極および負極電極をセパレータを介して積層したものを巻回することによって得られた電池要素を電池缶内に収納した密閉型電池に関し、特に、電池要素と電池缶との導電接続に特徴を有する密閉型電池に関する。
【０００２】
【従来の技術】
小型の電子機器の電源として各種の電池が用いられており、携帯電話、ノートパソコン、カムコーダ等の電源として、小型で大容量の密閉型電池であるリチウムイオン二次電池等の非水電解液電池が用いられている。これらの非水電解液電池としては、円筒型、角型の構造を有したものが用いられている。
小型の電子機器の電源として用いられているリチウムイオン電池においては、正極集電体および負極集電体にそれぞれ活物質を塗布した後に、セパレータを介在させて巻回した巻回体を電池缶内に収納して封口したものが用いられている。
こうした電池には、巻回体を円筒型の電池缶内に収納した円筒型電池と角型の電池缶内に収納した角型電池が用いられているが、直方体状の形状の機器の電池収納部においては、円筒形状の電池では無効な容積が大きくなるという問題、あるいは電池収納部分の厚さによって円筒型の電池の径が制限を受けるという問題等から、小型、あるいは薄型の機器においては角型電池がひろく用いられている。
【０００３】
図２は、従来の電池を説明する図であり、電池缶が正極電極端子を兼ねた電池を説明する図である。
図２は、電池１の電池缶２を透視した斜視図である。正極電極および負極電極にそれぞれ正極導電タブ３および負極導電タブ４を所定の位置に溶接によって接合した後に、負極電極および正極電極をセパレータを介して巻回して電池要素５を作製し、得られた電池要素５を電池缶２内に収納し正極導電タブ３を電池缶の内壁面に接合すると共に、負極導電タブ４を蓋体６に絶縁性部材７を介して設けた負極端子８に接合した後に、蓋体６を電池缶２の開口部に嵌合し、蓋体６と電池缶２とを溶接によって接合している。
【０００４】
このような構造の電池要素において、正極導電タブおよび負極導電タブを予め正極電極および負極電極に取り付ける工程が必要であると共に、電池缶の内壁面と正極導電タブとを溶接により接合することが必要であるために、タブの溶接のための空間が不可欠であり、またタブ自身の厚さが占める空間も必要であり、電池缶内部の空間の使用効率が低いものであった。特に、小型化、軽量化の要求とともに、充放電容量の増大という要求に対応するためにも、電池缶内部の容積効率を高めることが求められていた。
【０００５】
【発明が解決しようとする課題】
本発明は、正極電極と負極電極をセパレータを介して巻回した電池要素を電池缶に収納した密閉型電池において、電池缶の内部空間の使用効率を高めた、体積当たりの充放電容量が大きな電池を提供することを課題とするものである。
【０００６】
【課題を解決するための手段】
本発明の課題は、正極電極および負極電極をセパレータを介して巻回した電池要素を電池缶内に収納した密閉型電池の製造方法において、電池要素の最外周部には、電池缶の極性と同一の極性の電極の集電体を露出させ、前記電池缶に電池要素を収納した後に、前記集電体と電池缶の内面との間に導電性組成物を注入して硬化することにより両者を接合して電気的接続を形成した密閉型電池の製造方法によって解決することができる。
導電性組成物が壁面の中央部から、電池缶の底部に達しない量を注入した後に硬化して接合したものである前記の密閉型電池の製造方法である。
導電性組成物が加熱によって硬化する導電性エポキシ接着剤である前記の密閉型電池の製造方法である。
また、リチウムイオン電池である前記の密閉型電池の製造方法である。
【０００７】
【発明の実施の形態】
本発明の電池は、電池缶と同一の極性の電極を電池要素の最外周部に設け、電池缶の内壁面と電池要素の最外周部を導電接触させるとともに、導電接触部の経時変化を防止するために接触部に導電性組成物を存在させたことを特徴とするものである。
【０００８】
図１は、本発明の電池の組立工程を説明する図である。
図１（Ａ１）に平面図を示し、図１（Ａ２）には透視した側面図を示すように、負極電極および正極電極を、正極電極が最外周部に位置するようにセパレータを介して巻回し、巻き止めテープによって巻ほぐれを防止した電池要素５を電池缶２内に収納する。電池要素５の最外周部は、正極電極の集電体の表面に正極活物質は塗布されておらず電池缶２の内壁面と接触している。
四隅が丸みを帯びた糸巻き状の電池要素５と電池缶２の内壁面に形成された空間に、導電性組成物注入用ノズル９を挿入する。次いで、図１（Ｂ１）に平面図を示し、図１（Ｂ２）に透視した側面図を示すように、導電性組成物注入用ノズル９を上方へ斜めに引き抜きながら移動する。そして、導電組成物注入用ノズル９の先端を電池要素５の側面の中央部に位置させる。
次いで、図１（Ｃ）に示すように、所定の量の導電性組成物１０を注入する。導電性組成物は、電池缶の底部に到達すると、電池缶の内壁面と負極電極との間で導電接続が形成されるので、電池缶の底部に達しない量とすることが好ましく、壁面の中央部において缶の高さの１／３以下の径に広がるものとすることが好ましい。
【０００９】
また、以上に示したように、導電性組成物は導電性組成物注入用ノズルを用いて電池要素と電池缶の内壁面との間に注入する方法以外にも、電池要素の壁面に塗布した後に電池缶内部に収納することもできる。
この場合には、電池要素の壁面に塗布した導電性組成物が電池缶の開口部分に付着しないようにするために、電池缶の開口部を押圧し変形した状態で電池要素を収納したり、あるいは塗布した導電性組成物の表面に離型フィルム、離型紙等を貼り付けて電池缶内に収納した後に、それらを取り除いても良い。
また、導電性組成物は、加熱によって硬化する熱硬化性樹脂の組成物であることが好ましい。具体的には、銀／エポキシ等の導電性エポキシ接着剤を用いることができる。導電性エポキシ接着剤は硬化後には、加熱によって硬化し化学的に安定なエポキシ樹脂となるので電解液に対する耐性も充分なものが得られる。
【００１０】
本発明の電池は、電池缶の内壁面と電池要素の表面との接触によって電池要素の一方の電極との間の導電接続状態を保持することができるので、正極電極および負極電極のいずれの電極に対しても適用することが可能であるが、とくに表面に酸化皮膜を形成し接触抵抗の経時的が変化が生じやすいアルミニウムを集電体とした正極電極側に適用することが好ましい。
【００１１】
リチウムイオン電池を例に挙げて説明すると、正極電極は帯状のアルミニウム箔に、ＬｉxＭＯ2（ただしＭは、少なくとも１の遷移金属を表す。）である複合酸化物、例えば、ＬｉxＣｏＯ2、ＬｉxＮｉＯ2、ＬｉxＭｎ2Ｏ4、ＬｉxＭｎＯ3、ＬｉxＮｉyＣｏ(1-y)Ｏ2などを 、カーボンブラック等の導電性物質、ポリフッ化ビニリデン（ＰＶＤＦ）等の結着剤をＮ−メチル−２−ピロリドン（ＮＭＰ）等の溶剤とを分散混練した調製した正極塗料が本発明の塗布装置によって塗布される。片面の塗布が終わったものは乾燥後に反対面も同様に塗布し、両面を塗布される。
【００１２】
また、負極電極は、帯状の銅箔等の表面に、リチウムをドープ及び脱ドープ可能な、熱分解炭素類、ピッチコークス、ニードルコークス、石油コークスなどのコークス類、グラファイト類、ガラス状炭素類、フェノール樹脂、フラン樹脂などを焼成した有機高分子化合物焼成体、炭素繊維、活性炭などの炭素質材料、ポリアセチレン、ポリピロール等の導電性高分子材料をカーボンブラックなどの導電性物質、ポリフッ化ビニリデン（ＰＶＤＦ）等の結着剤をＮ−メチル−２−ピロリドン（ＮＭＰ）等の溶剤とを分散混練した調製した負極塗布液を本発明の塗布装置によって塗布される。片面の塗布が終わったものは乾燥後に反対面も同様に塗布し、両面を塗布される。
なお、負極電極にあっては、巻回して電池要素を作製した場合に片面が正極活物質層に対向しない部分にあっては、片面のみに負極活物質層を形成しても良い。
次いで、電池缶の極性と逆の極性の電極のみに導電タブを、超音波溶接、抵抗溶接等の方法によって接合した後に、巻回装置で巻回し、巻止めテープによって電池要素を固定した後に、圧迫して所定の形状に成型し製造することができる。
【００１３】
実施例１
アルミニウム箔の表面に、マンガン酸リチウム、カーボンブラック、ポリフッ化ビニリデン、Ｎ−メチルピロリドンからなる正極活物質を塗布し、最外周部には正極活物質の非塗布部を形成した。
一方、銅箔の表面に、グラファイト、カーボンブラック、ポリフッ化ビニリデン、Ｎ−メチルピロリドンからなる負極活物質を塗布し、負極導電タブを結合した。
厚さ２５μｍのポリエチレン製セパレータを正極電極と負極電極の間とともに負極電極の外側に配置し、負極電極が外側となるように巻回した後に二面がほぼ平行となるようにプレス成型して電池要素を作製した。
電池要素を内寸法が３６ｍｍ×５０ｍｍの電池缶の内部に挿入し、電池缶内部の電池要素との空間に導電性組成物注入ノズルを挿入した後に、導電性組成物注入ノズルを電池要素と電池缶との接触面の中央付近に移動し、導電性組成物として導電性エポキシ接着剤（ヘンケルジャパン製  ロックタイト３８８７）を０．０４ｇ注入した後に、乾燥炉において１００℃で７．５時間保持して導電性エポキシ接着剤を硬化させた。
得られた電池の５個について、製造直後、１週間後、２週間後の導電接触抵抗を測定し、その平均値を表１に示す。
【００１４】
比較例１
導電性組成物を注入しない点を除き、実施例１と同様に電池を作製して、得られた電池５個について実施例１と同様に導電接触抵抗を測定し、その平均値を表１に示す。
【００１５】
【表１】
0004991053.tif 000002
【００１６】
【発明の効果】
本発明の電池は、正極電極および負極電極をセパレータを介して積層したものを巻回して得られた電池要素において、電池要素の外周面を電池缶と直接に接触させるとともに導電性組成物を充填したので導電接触抵抗の経時変化が小さく特性が優れた電池を得ることができる。
【図面の簡単な説明】
【図１】図１は、本発明の電池の組立工程を説明する図である。
【図２】図２は、従来の電池を説明する図であり、電池缶が正極電極端子を兼ねた電池を説明する図である。
【符号の説明】
１…電池、２…電池缶、３…正極導電タブ、４…負極導電タブ、５…電池要素、、６…蓋体、７…絶縁性部材、８…負極端子、９…導電性組成物注入用ノズル、１０…導電性組成物
【図１】
0004991053.tif 000003
【図２】
0004991053.tif 000004